(57)【要約】【課題】アフターミストモードにおいて、噴霧装置から噴霧される除菌水のミストがトイレ装置の外部に漏れ広がることを抑制しつつ、効果的に除菌水による除菌を行うことができる便座装置及びトイレ装置を提供する。【解決手段】大便器の上部に設置される便座装置であって、便座と、便蓋と、除菌水を生成する除菌装置と、大便器内及び便座に除菌水のミストを噴霧する噴霧装置と、噴霧装置を制御する制御装置と、検知センサと、を備え、制御装置は、検知センサが使用者を検知しない状態となった後に、自動的に除菌水のミストを噴霧するアフターミストモードを実行可能であり、制御装置は、アフターミストモードにおいて、便蓋が開状態のとき、第１のミスト範囲に除菌水のミストを噴霧し、便蓋が閉状態のとき、第２のミスト範囲に除菌水のミストを噴霧するように、噴霧装置を制御し、第１のミスト範囲は、第２のミスト範囲よりも狭いことを特徴とする便座装置。【選択図】図８
2019166201.tif 000002
【特許請求の範囲】
【請求項１】
大便器の上部に設置される便座装置であって、
使用者が着座する便座と、
閉状態において前記便座を覆い、開状態において前記便座を露呈させる便蓋と、
除菌水を生成する除菌装置と、
前記大便器内及び前記便座に前記除菌水のミストを噴霧する噴霧装置と、
前記便蓋の開閉状態に基づいて前記噴霧装置を制御する制御装置と、
前記使用者を検知する検知センサと、
を備え、
前記制御装置は、前記検知センサが前記使用者を検知している状態から前記使用者を検知しない状態となった後に、自動的に前記除菌水のミストを噴霧するアフターミストモードを実行可能であり、
前記制御装置は、前記アフターミストモードにおいて、
前記便蓋が前記開状態のとき、第１のミスト範囲に前記除菌水のミストを噴霧し、
前記便蓋が前記閉状態のとき、第２のミスト範囲に前記除菌水のミストを噴霧するように、
前記噴霧装置を制御し、
前記第１のミスト範囲は、前記第２のミスト範囲よりも狭いことを特徴とする便座装置。
【請求項２】
前記第１のミスト範囲は、前記大便器内から前記大便器の上面までの範囲であり、前記第２のミスト範囲は、前記大便器内から前記便座の上面までの範囲であることを特徴とする請求項１記載の便座装置。
【請求項３】
前記第１のミスト範囲は、前記大便器内のボウル部の上端までの範囲であり、前記第２のミスト範囲は、前記大便器内から前記便座の上面までの範囲であることを特徴とする請求項２記載の便座装置。
【請求項４】
前記制御装置は、前記便蓋が前記開状態のときの前記除菌水のミストの粒径が、前記便蓋が前記閉状態のときの前記除菌水のミストの粒径よりも大きくなるように前記噴霧装置を制御することを特徴とする請求項１〜３のいずれか１つに記載の便座装置。
【請求項５】
汚物を受けるボウル部を有する大便器と、
請求項１〜４のいずれか１つに記載の便座装置と、
を備えたことを特徴とするトイレ装置。
【発明の詳細な説明】
【技術分野】
【０００１】
本発明の態様は、一般的に、便座装置及びトイレ装置に関する。
【背景技術】
【０００２】
トイレ装置において、大便器のボウル部に酸化分解作用や漂白作用を有する次亜塩素酸水などのミストを噴霧し、ボウル部における菌や汚れの発生を抑制することが知られている。このようなミストの噴霧装置は、例えば、大便器の上部に設置される便座装置に設けられる。
【０００３】
特許文献１に記載のミスト洗浄装置付き便器においては、オゾン水や電解殺菌水、高温水などを、径が０．１〜５０マイクロメートル（μｍ）程度のミストにするミスト洗浄装置が設けられる。特許文献１では、ミスト洗浄装置が発生するミストを、気流により、便器、便座及び便蓋などの隅々まで行きわたらせて洗浄することができるとしている。
【先行技術文献】
【特許文献】
【０００４】
【特許文献１】特開２００７−１３８６０５号公報
【特許文献２】特開２０１６−２１７００８号公報
【発明の概要】
【発明が解決しようとする課題】
【０００５】
トイレ装置の使用前に、特許文献１のように便座の着座面にミストを噴霧すると、使用者の臀部や手が、便座の着座面に着水したミストに触れ、不快感が生じる恐れがある。そのため、便座の着座面へのミストの噴霧は、トイレ装置の使用後のアフターミストモードで行う方がよい。これにより、使用後の便座の着座面を含む広い範囲を効果的に除菌できる。しかし、便座の着座面などにミストを噴霧する際、便蓋が開いた状態であると、除菌水がトイレ装置の外部に漏れ広がる恐れがある。
【０００６】
この問題を解決する手段として、特許文献２のように、便蓋が閉じた状態でのみ除菌水のミストを噴霧することが考えられる。しかし、特許文献２のように、便蓋を閉じた状態でのみ除菌水のミストを噴霧すると、ミストを噴霧するタイミングが少なくなり、除菌性能が低下し、効果的に除菌水による除菌を行えないという問題がある。
【０００７】
本発明は、かかる課題の認識に基づいてなされたものであり、アフターミストモードにおいて、噴霧装置から噴霧される除菌水のミストがトイレ装置の外部に漏れ広がることを抑制しつつ、効果的に除菌水による除菌を行うことができる便座装置及びトイレ装置を提供することを目的とする。
【課題を解決するための手段】
【０００８】
第１の発明は、大便器の上部に設置される便座装置であって、使用者が着座する便座と、閉状態において前記便座を覆い、開状態において前記便座を露呈させる便蓋と、除菌水を生成する除菌装置と、前記大便器内及び前記便座に前記除菌水のミストを噴霧する噴霧装置と、前記便蓋の開閉状態に基づいて前記噴霧装置を制御する制御装置と、前記使用者を検知する検知センサと、を備え、前記制御装置は、前記検知センサが前記使用者を検知している状態から前記使用者を検知しない状態となった後に、自動的に前記除菌水のミストを噴霧するアフターミストモードを実行可能であり、前記制御装置は、前記アフターミストモードにおいて、前記便蓋が前記開状態のとき、第１のミスト範囲に前記除菌水のミストを噴霧し、前記便蓋が前記閉状態のとき、第２のミスト範囲に前記除菌水のミストを噴霧するように、前記噴霧装置を制御し、前記第１のミスト範囲は、前記第２のミスト範囲よりも狭いことを特徴とする便座装置である。
【０００９】
この便座装置によれば、便蓋が閉状態の場合だけでなく、便蓋が開状態の場合にも除菌水のミストを噴霧するため、除菌性能が低下することを抑制できる。また、便蓋が開状態のときには、便蓋が閉状態のときよりも狭い範囲に除菌水のミストを噴霧するため、便蓋が開状態であっても、除菌水のミストがトイレ装置の外部に漏れ広がりにくい。従って、アフターミストモードにおいて、噴霧装置から噴霧される除菌水のミストがトイレ装置の外部に漏れ広がることを抑制しつつ、効果的に除菌水による除菌を行うことができる。
【００１０】
第２の発明は、第１の発明において、前記第１のミスト範囲は、前記大便器内から前記大便器の上面までの範囲であり、前記第２のミスト範囲は、前記大便器内から前記便座の上面までの範囲であることを特徴とする便座装置である。
【００１１】
この便座装置によれば、便蓋が閉状態のときには、便座の上面まで除菌水のミストを噴霧し、便蓋が開状態のときには、大便器の上面までしか除菌水のミストを噴霧しない。これにより、噴霧装置から噴霧される除菌水のミストがトイレ装置の外部に漏れ広がることをより確実に抑制しつつ、より効果的に除菌水による除菌を行うことができる。
【００１２】
第３の発明は、第２の発明において、前記第１のミスト範囲は、前記大便器内のボウル部の上端までの範囲であり、前記第２のミスト範囲は、前記大便器内から前記便座の上面までの範囲であることを特徴とする便座装置である。
【００１３】
この便座装置によれば、便蓋が閉状態のときには、便座の上面まで除菌水のミストを噴霧し、便蓋が開状態のときには、ボウル部の上端までしか除菌水のミストを噴霧しない。これにより、噴霧装置から噴霧される除菌水のミストがトイレ装置の外部に漏れ広がることをより確実に抑制しつつ、より効果的に除菌水による除菌を行うことができる。
【００１４】
第４の発明は、第１〜第３のいずれか１つの発明において、前記制御装置は、前記便蓋が前記開状態のときの前記除菌水のミストの粒径が、前記便蓋が前記閉状態のときの前記除菌水のミストの粒径よりも大きくなるように前記噴霧装置を制御することを特徴とする便座装置である。
【００１５】
この便座装置によれば、便蓋が開状態のときに噴霧する除菌水のミストの粒径を、便蓋が閉状態のときに噴霧する除菌水のミストの粒径よりも大きくする。これにより、便蓋が開状態のときの除菌水のミストは、便蓋が閉状態のときの除菌水のミストよりも下に落ちやすくなる。従って、噴霧装置から噴霧される除菌水のミストがトイレ装置の外部に漏れ広がることをより確実に抑制しつつ、より効果的に除菌水による除菌を行うことができる。
【００１６】
第５の発明は、汚物を受けるボウル部を有する大便器と、第１〜第４のいずれか１つの発明の便座装置と、を備えたことを特徴とするトイレ装置である。
【００１７】
このトイレ装置によれば、アフターミストモードにおいて、噴霧装置から噴霧される除菌水のミストがトイレ装置の外部に漏れ広がることを抑制しつつ、効果的に除菌水による除菌を行うことができるトイレ装置を提供できる。
【発明の効果】
【００１８】
本発明の態様によれば、アフターミストモードにおいて、噴霧装置から噴霧される除菌水のミストがトイレ装置の外部に漏れ広がることを抑制しつつ、効果的に除菌水による除菌を行うことができる便座装置及びトイレ装置が提供される。
【図面の簡単な説明】
【００１９】
【図１】実施形態に係るトイレ装置を例示する斜視図である。
【図２】実施形態に係るトイレ装置の一部を例示する断面図である。
【図３】実施形態に係る便座装置の要部構成を例示するブロック図である。
【図４】図４（ａ）〜図４（ｅ）は、実施形態に係るトイレ装置を例示する平面図及び斜視図である。
【図５】図５（ａ）〜図５（ｃ）は、実施形態に係る別のトイレ装置を例示する斜視図である。
【図６】図６（ａ）〜図６（ｃ）は、実施形態に係る噴霧装置を例示する模式図である。
【図７】図７（ａ）及び図７（ｂ）は、実施形態に係る噴霧装置のディスクを例示する平面図である。
【図８】実施形態に係る便座装置のアフターミストモードにおける動作を例示するフローチャートである。
【図９】実施形態に係る便座装置のアフターミストモードの第１モードにおける動作を例示するフローチャートである。
【図１０】実施形態に係る便座装置のアフターミストモードの第２モードにおける動作を例示するフローチャートである。
【図１１】実施形態に係る便座装置のアフターミストモードの第２モードにおける動作を例示する模式図である。
【図１２】図１２（ａ）及び図１２（ｂ）は、実施形態に係る便座装置のアフターミストモードの第２モードにおける動作を例示する断面図である。
【図１３】図１３（ａ）〜図１３（ｄ）は、実施形態に係る便座装置のアフターミストモードの第２モードにおける動作を例示する平面図である。
【図１４】実施形態に係る便座装置のアフターミストモードの第１モードにおける動作を例示する模式図である。
【図１５】図１５（ａ）〜図１５（ｃ）は、実施形態に係る便座装置のアフターミストモードの第１モードにおける動作を例示する断面図及び平面図である。
【図１６】図１６（ａ）〜図１６（ｃ）は、実施形態に係る便座装置のアフターミストモードの第１モードにおける動作を例示する断面図及び平面図である。
【図１７】図１７（ａ）及び図１７（ｂ）は、実施形態に係る粒径の測定方法を例示する斜視図である。
【図１８】図１８（ａ）及び図１８（ｂ）は、実施形態の変形例に係るトイレ装置の一部を例示する平面図及び断面図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、実施形態に係るトイレ装置を例示する斜視図である。  
図２は、実施形態に係るトイレ装置の一部を例示する断面図である。
【００２１】
図１に表したトイレ装置１０は、洋式腰掛便器（以下説明の便宜上、単に「大便器」と称する）８００と、便座装置１００と、を備える。大便器８００は、汚物を受ける凹状のボウル部８０１を有する。便座装置１００は、大便器８００の上部に設置されている。
【００２２】
便座装置１００は、ケーシング４００と、使用者が着座する便座２００と、便蓋３００と、を有する。便座２００と便蓋３００とは、それぞれ、ケーシング４００に対して開閉自在に軸支されている。便蓋３００は、全開位置と全閉位置との間で移動する。図１の状態は、便座２００が閉じた状態（下げられた状態）であり、便蓋３００が開いた状態（上げられた状態）である。便蓋３００は、閉じた状態では、便座２００の上面２０３（着座面）を上方から覆う。
【００２３】
ケーシング４００の内部には、便座２００に座った使用者の人体局部（「おしり」など）の洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの手動操作部５００を操作すると、洗浄ノズル（以下説明の便宜上、単に「ノズル」と称する）４７３を大便器８００のボウル部８０１内に進出させることができる。なお、図１に表した便座装置１００では、ノズル４７３がボウル部８０１内に進出した状態を表している。
【００２４】
ノズル４７３の先端部には、ひとつまたは複数の吐水口４７４が設けられている。そして、ノズル４７３は、その先端部に設けられた吐水口４７４から水を噴射して、便座２００に座った使用者の「おしり」などを洗浄することができる。  
なお、本願明細書において、「上方」、「下方」、「前方」、「後方」、「左側方」及び「右側方」のそれぞれは、開いた便蓋３００に背を向けて便座２００に座った使用者から見た方向である。
【００２５】
図２に示すように、ボウル部８０１内には、溜水８０１ｗが溜められている。例えば、使用者が、リモコン等に設けられたスイッチによって便器洗浄の操作を行うと、または、使用者が便座２００から立ち上がると、便器洗浄（ボウル部８０１内の汚物を排出し、ボウル部８０１の表面を洗浄する動作）が実行される。便器洗浄においては、ボウル部８０１内に洗浄水が供給される。例えば、図２の例では、ボウル給水口８１１から大便器８００の上縁に沿って洗浄水が吐出される。
【００２６】
大便器８００は、上部にリム部８０５を有する。リム部８０５は、大便器８００の上縁部を形成する環状部分である。リム部８０５は、上面８０６と、内壁面８０７と、を有する。上面８０６は、閉じられた便座２００の下面２０４と向き合う面である。上面８０６は、例えば、大便器８００の上面を構成する。内壁面８０７は、例えば、ボウル部８０１の上部を構成する。内壁面８０７は、大便器８００の内壁（ボウル部８０１の中央側に面する壁面）のうち、便器洗浄の洗浄水が流れる部分よりも、上方の部分である。すなわち、本願明細書において、リム部８０５の内壁面８０７とは、便器洗浄における不洗浄部をいう。図２の例では、内壁面８０７は、棚状に屈曲した屈曲部８０５Ｂより上方に位置する立面を含む。
【００２７】
図３は、実施形態に係る便座装置の要部構成を例示するブロック図である。  
なお、図３は、水路系と電気系の要部構成を併せて表している。  
便座装置１００は、電磁弁４３１、除菌装置４５０、切替弁４７２、噴霧装置４８１、ノズルモータ４７６、ノズル４７３、ノズル洗浄室４７８、及び流路１１０〜１１３などを有する。これらは、ケーシング４００内に配置されている。
【００２８】
流路１１０は、水道や貯水タンクなどの図示しない給水源から供給された水を噴霧装置４８１やノズル４７３などに導くための流路である。流路１１０の上流側には、電磁弁４３１が設けられている。電磁弁４３１は、開閉可能な電磁バルブであり、ケーシング４００の内部に設けられた制御装置４０５からの指令に基づいて水の供給を制御する。
【００２９】
流路１１０上において、電磁弁４３１の下流には、除菌水を生成する除菌装置４５０が設けられている。除菌装置４５０は、例えば次亜塩素酸などを含む除菌水を生成する。除菌装置４５０としては、例えば、電解槽ユニットが挙げられる。電解槽ユニットは、制御装置４０５からの通電の制御によって、陽極板（図示せず）と陰極板（図示せず）との間の空間（流路）を流れる水道水を電気分解する。なお、除菌水は、次亜塩素酸を含むものには限定されない。例えば、除菌水は、銀イオンや銅イオンなどの金属イオンを含む溶液、電解塩素やオゾンなどを含む溶液、酸性水、または、アルカリ水などでもよい。除菌装置４５０は電解槽に限らず、除菌水を生成可能な任意の構成でよい。また、本願明細書において、「除菌」とは、菌を減らす作用のことをいう。除菌水は、少なくとも菌を減らす作用を有するものであればよい。除菌水は、換言すれば、菌を減らす作用を有する機能水である。
【００３０】
流路１１０上において、除菌装置４５０の下流には、切替弁４７２が設けられている。切替弁４７２の下流には、ノズル４７３、ノズル洗浄室４７８及び噴霧装置４８１が設けられている。流路１１０は、切替弁４７２により、ノズル４７３へ水を導く流路１１１、ノズル洗浄室４７８へ水を導く流路１１２、及び、噴霧装置４８１へ水を導く流路１１３に分岐している。切替弁４７２は、制御装置４０５からの指令に基づいて、流路１１１、流路１１２及び流路１１３のそれぞれの開閉を制御する。つまり、切替弁４７２は、ノズル４７３、ノズル洗浄室４７８及び噴霧装置４８１への水の供給を制御する。また、切替弁４７２は、その下流に供給する水の流量を切り替える。
【００３１】
ノズル４７３は、ノズルモータ４７６からの駆動力を受け、便器８００のボウル部８０１内に進出したり後退したりする。つまり、ノズルモータ４７６は、制御装置４０５からの指令に基づいてノズル４７３を進退させる。ノズル４７３は、非使用時には、ケーシング４００内に収納されている。ノズル４７３は、ケーシング４００から前方へ進出した状態で、吐水口４７４から水を吐出して、人体局部を洗浄する。
【００３２】
ノズル洗浄室４７８は、その内部に設けられた吐水口から除菌水あるいは水道水を噴射することにより、ノズル４７３の外周表面（胴体）を洗浄する。
【００３３】
噴霧装置４８１は、水道水または除菌装置４５０で生成された除菌水をミスト状にする。噴霧装置４８１は、大便器８００の内部（ボウル部８０１）及び上面（リム部８０５の上面８０６）、並びに便座２００に、ミストＭ（除菌水のミストまたは水道水のミスト）を噴霧する。言い換えれば、噴霧装置４８１は、除菌水のミストまたは水道水のミストを、大便器８００の内部及び上面、並びに便座２００に着水させる。なお、本願明細書において「着水」とは、水（除菌水または水道水）が物体の表面に付着することをいう。
【００３４】
また、ケーシング４００の内部には、便座用モータ５１１（回動装置）、便蓋用モータ５１２（回動装置）、送風装置５１３及び温風ヒータ５１４が設けられている。  
便座用モータ５１１は、制御装置４０５からの指令に基づいて、電動で便座２００を回動させ開閉する。便蓋用モータ５１２は、制御装置４０５からの指令に基づいて、電動で便蓋３００を回動させ開閉する。
【００３５】
送風装置５１３は、例えばケーシング４００の内部に設けられたファンである。送風装置５１３は、制御装置４０５からの指令に基づいて動作する。例えば、送風装置５１３のモータの回転に伴い羽根が回転する。これにより、送風装置５１３は、大便器８００内（ボウル部８０１）に向けて送風することができる。また、送風装置５１３は、便座２００に座った使用者の局部に送風してもよい。温風ヒータ５１４は、送風装置５１３によってケーシング４００の外部へ送られる空気を温める。これにより、使用者の局部に向けて温風を送り、局部を乾燥させることができる。
【００３６】
便座ヒータ５１５（乾燥装置）は、例えば、便座２００の内部に設けられている。便座ヒータ５１５は、例えば、便座２００の中央に形成された開口２００ａの周りに沿って設けられた環状の金属部材を有する。制御装置４０５からの指令に基づいて便座ヒータ５１５に通電が行われることで、便座ヒータ５１５は、便座２００を温める。便座ヒータ５１５としては、例えば、チュービングヒータや、シーズヒータ、ハロゲンヒータ、カーボンヒータなどを用いてもよい。金属部材は、例えば、アルミニウムや銅などで構成される。また、金属部材の形状は、シート状やワイヤ状、メッシュ状など、種々の形状を採用することができる。
【００３７】
制御装置４０５には、図示しない電源回路から電力を供給される回路が用いられる。例えば、制御装置４０５は、マイコンなどの集積回路を含む。制御装置４０５は、使用者を検知する検知センサ４０２（例えば人体検知センサ４０３または着座検知センサ４０４）及び便蓋３００の開閉状態を検知する便蓋検知センサ４０６の検知情報、または手動操作部５００の操作情報に基づいて、電磁弁４３１、除菌装置４５０、切替弁４７２、ノズルモータ４７６、送風装置５１３、温風ヒータ５１４、便座ヒータ５１５、便座用モータ５１１、及び便蓋用モータ５１２を制御する。
【００３８】
手動操作部５００は、使用者が例えば任意のタイミングで除菌水の噴霧を行うための操作部である。例えば、手動操作部５００は、スイッチまたはボタンなどを有するリモコンであり、使用者が手動操作部５００を操作すると、除菌水の噴霧を指示する操作情報（信号）が制御装置４０５に送られる。制御装置４０５は、その操作情報に基づいて除菌装置４５０や噴霧装置４８１を制御する。これにより、使用者は、手動操作部５００を操作することで、除菌水の噴霧を行うことができる。  
また、手動操作部５００は、除菌水の噴霧だけでなく、使用者が便座装置１００の各機能を操作するためのスイッチやボタンなどを有していてもよい。各機能に対応した操作が行われると、その操作情報が制御装置４０５に送られ、制御装置４０５は、その操作情報に基づいて、便座装置１００の各部の動作を制御する。
【００３９】
着座検知センサ４０４は、使用者の便座２００への着座の有無を検知することができる。着座検知センサ４０４は、使用者の着座及び離座を検知する。着座検知センサ４０４には、マイクロ波センサ、測距センサ（赤外線投光式センサ）、超音波センサ、タクトスイッチ、静電容量スイッチ（タッチセンサ）、または歪みセンサを用いることができる。この例では、着座検知センサ４０４には、ケーシング４００に設けられた測距センサが用いられている。
【００４０】
なお、タクトスイッチ、静電センサ及び歪みセンサなどの接触式センサを用いる場合には、これらの接触式センサは、便座２００に設けられる。便座２００に使用者が座ると、使用者の体重によってタクトスイッチが押下される。または、使用者が静電センサに接触する。または、使用者の体重によって歪みセンサに圧力が加えられる。これらのセンサからの電気信号により、使用者の着座を検知することができる。
【００４１】
人体検知センサ４０３は、大便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサとして、例えば、焦電センサ、マイクロ波センサ、超音波センサ、または測距センサ（赤外線投光式センサ）を用いることができる。この例では、人体検知センサ４０３には、ケーシングに設けられた焦電センサが用いられている。また、人体検知センサ４０３は、トイレ室のドアを開けて入室した直後の使用者や、トイレ室に入室する直前の使用者、すなわちトイレ室に入室しようとしてドアの前に存在する使用者を検知してもよい。例えば、マイクロ波センサを用いた場合には、トイレ室のドア越しに使用者の存在を検知することが可能となる。
【００４２】
便蓋検知センサ４０６は、便蓋３００の開閉状態を検知することができる。便蓋検知センサ４０６は、便蓋３００の開状態のみを検知するセンサであってもよいし、便蓋３００の閉状態のみを検知するセンサであってもよいし、便蓋３００の開状態及び閉状態の両方を検知するセンサであってもよい。また、便蓋検知センサ４０６は、便座２００と便蓋３００とのなす角度を検知するセンサであってもよい。便蓋検知センサ４０６には、例えば、リミットスイッチ、磁気センサ、又は光学センサなどの任意のスイッチやセンサなどを用いることができる。
【００４３】
なお、本明細書において、便蓋３００の「開状態」は、便座２００が露呈している状態であり、便蓋３００の「閉状態」は、便座２００が覆われている状態である。便蓋３００が開状態のとき、使用者は便座２００に着座可能である。便蓋３００の「開状態」は、少なくとも便蓋３００の全開位置を含む。便蓋３００の「閉状態」は、少なくとも便蓋３００の全閉位置を含む。また、例えば、上面視において、便蓋３００が便座２００に重なっていない状態を「開状態」とし、便蓋３００が便座２００の少なくとも一部と重なっている状態を「閉状態」としてもよい。あるいは、上面視において、便蓋３００が便座２００に重なっていない状態及び便蓋３００が便座２００の一部のみと重なっている状態（便座２００の少なくとも一部が露呈している状態）を「開状態」とし、便蓋３００が便座２００の全体と重なっている状態（便蓋３００が便座２００を完全に覆い隠している状態）を「閉状態」としてもよい。あるいは、便蓋３００の開状態を検知する便蓋検知センサ４０６が、検知している状態を「開状態」とし、検知していない状態を「閉状態」としてもよい。あるいは、便蓋３００の閉状態を検知する便蓋検知センサ４０６が、検知している状態を「閉状態」とし、検知していない状態を「開状態」としてもよい。あるいは、便座２００と便蓋３００とのなす角度が所定角度よりも大きい状態を「開状態」とし、便座２００と便蓋３００とのなす角度が所定角度以下である状態を「閉状態」としてもよい。
【００４４】
制御装置４０５は、人体検知センサ４０３の検知情報（使用者の存在の有無を示す信号）、着座検知センサ４０４の検知情報（使用者の着座の有無を示す信号）及び便蓋検知センサ４０６の検知情報（便蓋３００の開閉状態を示す信号）を受信し、受信した検知情報に基づいて、便座装置１００の各部の動作を制御する。
【００４５】
図４（ａ）〜図４（ｅ）は、実施形態に係るトイレ装置を例示する平面図及び斜視図である。  
図４（ａ）は、トイレ装置１０の一部を前方から見た状態を示す。  
図４（ａ）に示すように、噴霧装置４８１、ノズルダンパ４７９、及び送風ダンパ５１６は、便座装置１００が大便器８００の上部に設置された状態において、ボウル部８０１の後方上部に位置する。
【００４６】
図４（ｂ）は、図４（ａ）の一部を拡大して表す。なお、図４（ｂ）では、見易さのため、噴霧装置４８１の前方に位置するケーシング４００の一部を省略している。  
ノズルダンパ４７９は、ケーシング４００に対して回動可能に軸支されている。ノズル４７３は、ケーシング４００の内部に後退している状態では、ノズルダンパ４７９の後方に位置する。人体局部の洗浄時等において、ノズル４７３は、ノズルダンパ４７９に当接し、ノズルダンパ４７９を回動させて開き、ケーシング４００の内部から進出する。
【００４７】
図４（ｃ）〜図４（ｅ）は、噴霧装置４８１、ノズルダンパ４７９及び送風ダンパ５１６の周辺を拡大して表す斜視図である。  
送風ダンパ５１６は、ケーシング４００に対して回動可能に軸支されている。送風ダンパ５１６の後方には、送風装置５１３が配置されている。送風ダンパ５１６は、ケーシング４００の開口５１６ａを覆う。送風装置５１３から送られた空気は、開口５１６ａを通って、大便器８００内へ送られる。
【００４８】
図４（ｃ）は、送風装置５１３が動作を停止した状態であり、図４（ｄ）及び図４（ｅ）は、送風装置５１３が作動し、ボウル部８０１内に向けて送風している状態を示す。  
図４（ｃ）に示すように、送風が停止した状態においては、送風ダンパ５１６は、閉じている。  
図４（ｄ）に示すように、送風装置５１３が作動すると、送風ダンパ５１６は、送風装置５１３から送られる空気の圧力（風圧）により回動して開く。これにより、送風装置５１３は、例えば矢印Ａ１のように、ボウル部８０１内の後方上部からボウル部８０１内の前方下部へ向けて送風する。  
図４（ｅ）の状態においては、図４（ｄ）の状態に比べて、送風装置５１３が送る風量が多い（または風速が高い）。この場合には、送風ダンパ５１６は、図４（ｄ）の状態に比べて、さらに回動して開く。これにより、送風装置５１３は、例えば矢印Ａ２のように、ボウル部８０１内の後方上部からボウル部８０１内の前方上部へ向けて送風する。
【００４９】
このように、送風装置５１３から送られる風の方向は、送風ダンパ５１６によって変化する。言い換えれば、送風装置５１３は、風量（風速）によって送風方向を制御することができる。送風装置５１３からの送風によって生じる気流に、噴霧装置４８１から噴霧されたミストを乗せることで、ミストが着水する範囲、及び、各範囲におけるミストの着水量（各範囲に着水する除菌水または水道水の量）を制御してもよい。
【００５０】
図５（ａ）〜図５（ｃ）は、実施形態に係る別のトイレ装置を例示する斜視図である。  この例では、噴霧装置４８１の前方にミストダンパ４８２が設けられている。ミストダンパ４８２は、閉じた状態において、噴霧装置４８１の前方の少なくとも一部を覆う。例えば、ミストダンパ４８２は、閉じた状態において、図６に関して後述するディスク４８１ｂの前方を覆う。
【００５１】
ミストダンパ４８２は、例えばノズルダンパ４７９に対して固定されており、ノズルダンパ４７９と連動する。ノズルダンパ４７９が開くことでミストダンパ４８２も開き、ノズルダンパ４７９が閉じることでミストダンパ４８２も閉じる。
【００５２】
図５（ｂ）及び図５（ｃ）は、ノズルダンパ４７９及びミストダンパ４８２の周辺を拡大して表す。図５（ｂ）は、ノズル４７３がケーシング４００の内部に後退した状態である。このとき、ノズルダンパ４７９は、閉じた状態であり、ノズル４７３の前方を覆う。また、ミストダンパ４８２は、閉じた状態であり、噴霧装置４８１の少なくとも一部の前方を覆う。
【００５３】
噴霧装置４８１の不使用時には、図５（ｂ）のように、ミストダンパ４８２によって噴霧装置４８１をボウル部８０１側から隠蔽する。これにより、噴霧装置４８１に尿や汚れが付着することを防止することができる。
【００５４】
図５（ｃ）は、ノズル４７３が前方へ進出し、ノズルダンパ４７９を回動させた状態である。このときのノズル４７３の前方への進出距離は、人体局部洗浄時の前方への進出距離よりも短くてよい。例えば、ノズル４７３の先端は、ノズルダンパ４７９に当接している。また、図５（ｃ）において、ミストダンパ４８２は、ノズルダンパ４７９と共に回動し、開いている。噴霧装置４８１の一部（ディスク４８１ｂ）は、ボウル部８０１側へ露出している。これにより、噴霧装置４８１は、ボウル部８０１へ向けてミストを噴霧することができる。なお、例えば図１８に関して後述するように、ミストダンパ４８２を設けずに、噴霧装置４８１をケーシング４００内に配置してもよい。
【００５５】
図６（ａ）〜図６（ｃ）は、実施形態に係る噴霧装置を例示する模式図である。  
図６（ａ）は、噴霧装置４８１の斜視図であり、図６（ｂ）は、噴霧装置４８１の側面図である。  
噴霧装置４８１は、モータ４８１ａと、モータ４８１ａの下方に接続されたディスク４８１ｂと、を有する。モータ４８１ａの回転は、制御装置４０５によって制御される。モータ４８１ａが回転すると、回転の駆動力がディスク４８１ｂに伝達され、ディスク４８１ｂが回転する。
【００５６】
図６（ｂ）に示すように、ディスク４８１ｂの上面には、水Ｗ（水道水または除菌装置４５０で生成された除菌水）が供給される。ディスク４８１ｂの回転中に、水Ｗが供給されることで、噴霧装置４８１は、水Ｗをミスト状にして噴霧する。なお、この例では、ディスク４８１ｂは、平らな円板状であるが、適宜凹凸を設けたり、円錐形状や球体を用いたりしてもよい。
【００５７】
図６（ｃ）は、ディスク４８１ｂの一部を上方から見た拡大図である。回転するディスク４８１ｂの上面に滴下された水Ｗは、遠心力によって、ディスク４８１ｂ上で膜状に広がり、ディスク４８１ｂから放射される。このとき、水Ｗは、ディスク４８１ｂの縁付近から膜状のまま分裂したり、糸状となった後に分裂したりし、その後、微粒子ｐ（ミスト）となる。ディスク４８１ｂの回転速度、すなわち、モータ４８１ａの回転速度によって、ミストの粒径（微粒子ｐの径）を制御することができる。回転速度が高い程、ミストの粒径は小さくなる。例えば、回転速度が１０００（rotation per minute：ｒｐｍ）程度の低速回転、回転速度が１００００ｒｐｍ程度の中速回転、または、回転速度が２００００ｒｐｍ程度の高速回転が適宜用いられ、所望の粒径が得られる。また、給水口４８１ｃから噴霧装置４８１に供給される水Ｗの流量を調整することにより、ミストの粒径を制御することもできる。
【００５８】
なお、本願明細書において、粒径とは、トイレ装置１０に着水する前の空中に存在する微粒子ｐの粒径であり、例えばザウター平均粒径（総体積／総表面積）である。本願明細書における「粒径」の測定方法については、図１７に関して後述する。また、ミストとは、粒径が３０マイクロメートル（μｍ）以上３００μｍ以下の範囲をいう。ミストの粒径が３０μｍ未満であると、ボウル部８０１、リム部８０５、便座２００などの対象部位を濡らすために長い時間が必要となってしまう。また、次亜塩素酸を含む除菌水を用いた場合、ミストの粒径が３０μｍ未満であると、ミスト中の次亜塩素酸の濃度が減衰しやすく、除菌性能が低下しやすい。一方、ミストの粒径が３００μｍより大きいと、ミストが拡散しにくく、広範囲にミストを噴霧することが困難となる。また、以下の説明において、大粒径のミストとは、粒径が１００μｍ以上３００μｍ以下の範囲のミストであり、中粒径のミストとは、粒径が６０μｍ以上１００μｍ以下の範囲のミストであり、小粒径のミストとは、粒径が３０μｍ以上６０μｍ以下の範囲のミストである。
【００５９】
図７（ａ）及び図７（ｂ）は、実施形態に係る噴霧装置のディスクを例示する平面図である。  
図７（ａ）及び図７（ｂ）は、回転するディスク４８１ｂを上方から見た様子を示す。図７（ａ）の例では、ディスク４８１ｂ上に水Ｗを供給する給水口４８１ｃの数が１つである。この場合、給水口４８１ｃに近い領域では、供給された水Ｗの水膜がディスク４８１ｂ上で薄くなる前に、水Ｗがディスク４８１ｂ上から放射される。このため、図７（ａ）に示すように、噴霧装置４８１の周囲において、ミストの粒径に偏りが生じる。すなわち、ミストの粒径が比較的大きい領域Ｒ１、ミストの粒径が中程度の領域Ｒ２、及び、ミストの粒径が比較的小さい領域Ｒ３が生じる。また、ミストの粒径に応じて、流量（単位時間に噴霧されるミストの量）にも偏りが生じる。すなわち、領域Ｒ１においては流量が多く、領域Ｒ２においては流量が中程度であり、領域Ｒ３においては流量が小さい。
【００６０】
このため、例えば、給水口４８１ｃの位置や、ディスク４８１ｂの回転方向（時計回りまたは反時計回り）によって、噴霧装置４８１から大便器８００内へ向かって噴霧されるミストの粒径、流量、方向などを調整することが可能である。これにより、噴霧装置４８１から噴霧されたミストが着水する範囲、及び各範囲におけるミストの着水量を制御してもよい。また、ディスク４８１ｂの周囲に、ミストが噴霧される方向を制御するカバーなどを適宜設けてもよい。
【００６１】
また、給水口４８１ｃの数は、１つに限られず、複数の給水口４８１ｃが設けられてもよい。例えば、図７（ｂ）では、４つの給水口４８１ｃが設けられている。給水口４８１ｃは、ディスク４８１ｂの中心から見て９０°ごとに配置されている。このように複数の給水口４８１ｃをディスク外周に沿って略等間隔に配置することにより、噴霧装置４８１の周囲において、ミストの粒径や流量の偏りを抑え、均一な噴霧を行うことができる。
【００６２】
噴霧装置４８１は、便座装置１００が大便器８００の上部に設置された状態において、便座２００よりも下方に配置され（図２参照）、大便器８００内に向けてミストを噴霧する。ここで、噴霧装置４８１が便座２００よりも下方に配置されている状態とは、噴霧装置４８１の少なくとも一部（この例ではディスク４８１ｂ）が便座２００よりも下方であることをいう。これにより、便座２００よりも下方から、大便器８００内に水道水または除菌水のミストが噴霧される。
【００６３】
なお、実施形態において、噴霧装置は、図６及び図７に関して説明した装置に限らない。例えば、噴霧装置として、超音波霧化装置を用いてもよい。超音波霧化装置は、液体に超音波を照射することで、液体をミスト状にする。また、例えば、噴霧装置として２流体ノズルを用いてもよい。２流体ノズルは、気体と液体とを共に噴射することで、液体をミスト状にする。ただし、図６及び図７に関して説明した装置を用いた場合には、送風装置５１３によって噴霧範囲を制御しやすいメリットがある。また、目詰まりのリスクも低く、コンプレッサなどの付帯装置も不要である。
【００６４】
実施形態において、制御装置４０５は、例えば、アフターミストモード、プレミストモード、及び手動ミストモードの３種類のミストモードを実行可能である。  
アフターミストモードは、例えば、使用者のトイレ装置１０の使用後に、検知センサ４０２の検知情報に基づいて、除菌水のミストを自動で噴霧する動作モードである。プレミストモードは、例えば、使用者のトイレ装置１０の使用前に、検知センサ４０２の検知情報に基づいて、除菌水または水道水のミストを自動で噴霧する動作モードである。手動ミストモードは、手動操作部５００の操作情報に基づいて、除菌水のミストを噴霧する動作モードである。制御装置４０５は、少なくともアフターミストモードを実行可能であればよい。すなわち、プレミストモード及び手動ミストモードは、省略可能である。
【００６５】
アフターミストモードは、検知センサ４０２が使用者を検知している状態から使用者を検知しない状態となった後に、自動的に除菌水のミストを噴霧する。アフターミストモードにおいて、制御装置４０５は、除菌装置４５０及び噴霧装置４８１を制御し、ボウル部８０１及び便座２００などに除菌水のミストを噴霧する。
【００６６】
このようなアフターミストモードにおいて、制御装置４０５は、便蓋３００の開閉状態に基づいて、噴霧装置４８１を制御する。制御装置４０５は、第１のミスト範囲に除菌水のミストを噴霧する第１モードと、第２のミスト範囲に除菌水のミストを噴霧する第２モードと、を実行可能である。制御装置４０５は、便蓋３００が開状態のときに第１モードを実行し、便蓋３００が閉状態のときに第２モードを実行するように、噴霧装置４８１を制御する。なお、便蓋３００が開状態であるとき、制御装置４０５は、例えば、便座２００の開閉状態に関わらず、第１モードを実行する。
【００６７】
第１モードでは、第１のミスト範囲に除菌水のミストを噴霧する。第１のミスト範囲は、第２のミスト範囲よりも狭い。第１のミスト範囲は、例えば、大便器８００内（ボウル部８０１）から大便器８００の上面までの範囲である。より具体的には、第１のミスト範囲は、例えば、溜水８０１ｗの水面からリム部８０５の上面８０６までの範囲である。このとき、第１のミスト範囲は、例えば、ボウル部８０１のうち溜水８０１ｗの水面よりも上に位置する部分と、リム部８０５の上面８０６と、を含む。ボウル部８０１のうち溜水８０１ｗの水面よりも上に位置する部分は、リム部８０５の内壁面８０７を含む。第１のミスト範囲は、例えば、大便器８００内のボウル部８０１の上端までの範囲であってもよい。より具体的には、第１のミスト範囲は、例えば、溜水８０１ｗの水面からリム部８０５の内壁面８０７の上端までの範囲であってもよい。このとき、第１のミスト範囲は、例えば、ボウル部８０１のうち溜水８０１ｗの水面よりも上に位置する部分を含み、リム部８０５の上面８０６を含まない。
【００６８】
第２モードでは、第２のミスト範囲に除菌水のミストを噴霧する。第２のミスト範囲は、第１のミスト範囲よりも広い。第２のミスト範囲は、例えば、大便器８００内（ボウル部８０１）から便座２００の上面２０３までの範囲である。より具体的には、第２のミスト範囲は、例えば、溜水８０１ｗの水面から便座２００の上面２０３までの範囲である。このとき、第２のミスト範囲は、例えば、ボウル部８０１のうち溜水８０１ｗの水面よりも上に位置する部分と、リム部８０５の上面８０６と、便座２００の下面２０４と、便座２００の上面２０３と、便座２００の内壁面（開口２００ａの中央側に面する壁面）と、を含む。
【００６９】
このように、実施形態によれば、便蓋３００が閉状態の場合だけでなく、便蓋３００が開状態の場合にも除菌水のミストを噴霧する。そのため、ミストを噴霧するタイミングが少なくなることを抑制でき、除菌性能が低下することを抑制できる。また、実施形態によれば、便蓋３００が開状態のときには、便蓋３００が閉状態のときよりも狭い範囲に除菌水のミストを噴霧する。そのため、便蓋３００が開状態であっても、除菌水のミストがトイレ装置１０の外部に漏れ広がりにくい。
【００７０】
アフターミストモードにおいて除菌水のミストがトイレ装置１０の外部に漏れ広がることを抑制する手段として、アフターミストモードを実行する際に、便蓋３００が開状態である場合には、便蓋３００の自動開閉機能により便蓋３００を閉状態にしてからアフターミストモードを実行することが考えられる。しかし、例えば、使用者が便蓋３００の自動開閉機能をＯＦＦにしていると、便蓋３００を閉状態にすることができないため、アフターミストモードを実行することができない。これに対し、実施形態においては、便蓋３００が閉状態の場合だけでなく、便蓋３００が開状態の場合にも除菌水のミストを噴霧する。換言すれば、使用者が便蓋３００の自動開閉機能をＯＦＦにしており、便蓋３００が開状態になっている場合にも、アフターミストモードを実行することができる。
【００７１】
また、実施形態においては、例えば、便蓋３００が閉状態のときには、便座２００の上面２０３まで除菌水のミストを噴霧するのに対し、便蓋３００が開状態のときには、大便器８００の上面（例えば、リム部８０５の上面８０６）までしか除菌水のミストを噴霧しない。あるいは、例えば、便蓋３００が閉状態のときには、便座２００の上面２０３まで除菌水のミストを噴霧するのに対し、便蓋３００が開状態のときには、大便器８００内のボウル部８０１の上端（例えば、リム部８０５の内壁面８０７の上端）までしか除菌水のミストを噴霧しない。
【００７２】
これにより、便蓋３００が閉まっていて除菌水のミストがトイレ装置１０の外部に漏れ広がりにくいときには、例えば、便座２００の上面２０３まで除菌水のミストを噴霧することで、広い範囲を除菌水で除菌することができる。一方、便蓋３００が開いていて除菌水のミストがトイレ装置１０の外部に漏れ広がりやすいときには、除菌水のミストを噴霧する範囲を、例えば、大便器８００の上面またはボウル部８０１の上端まで狭くすることで、除菌水のミストがトイレ装置１０の外部に漏れ広がることを抑制しつつ、除菌水による除菌を行うことができる。
【００７３】
なお、第１のミスト範囲を大便器８００の上面までとした場合には、第１のミスト範囲をボウル部８０１の上端までとした場合と比べて、より広い範囲に除菌水のミストを噴霧することができる。一方、第１のミスト範囲をボウル部８０１の上端までとした場合には、第１のミスト範囲を大便器８００の上面までとした場合と比べて、除菌水のミストがトイレ装置１０の外部に漏れ広がることをより抑制することができる。除菌性能をより高めたい場合には、第１のミスト範囲を大便器８００の上面までとし、ミストの漏れ広がりをより抑制したい場合には、第１のミスト範囲をボウル部８０１の上端までとするなど、使用者が第１のミスト範囲を適宜選択してもよい。
【００７４】
このように、実施形態によれば、アフターミストモードにおいて、便蓋３００の開閉状態に応じて除菌水のミストが噴霧される範囲を変えることで、噴霧装置４８１から噴霧される除菌水のミストがトイレ装置１０の外部に漏れ広がることを抑制しつつ、効果的に除菌水による除菌を行うことができる。
【００７５】
上述したようなミストを噴霧する範囲の制御は、例えば、噴霧装置４８１から噴霧されるミストの粒径の制御により可能である。例えば、制御装置４０５は、便蓋３００が開状態のときの除菌水のミストの粒径が、便蓋３００が閉状態のときの除菌水のミストの粒径よりも大きくなるように噴霧装置４８１を制御する。
【００７６】
除菌水のミストは、粒径が小さいと、噴霧装置４８１から便座２００側に上昇しやすい。一方、除菌水のミストは、粒径が大きいと、除菌水のミストは噴霧装置４８１から下降しやすい。そのため、便蓋３００が開状態のときの除菌水のミストは、便蓋３００が閉状態のときの除菌水のミストよりも下（ボウル部８０１の下部）に落ちやすい。このように、実施形態においては、便蓋３００が開状態のときには、除菌水のミストを便座２００側に上昇しにくくし、除菌水のミストを噴霧する範囲を狭くすることができる。
【００７７】
また、制御装置４０５は、上述のように、アフターミストモードに加えて、プレミストモード及び手動ミストモードを実行可能である。  
プレミストモードは、検知センサ４０２が使用者を検知していない状態から使用者を検知している状態となった後に、除菌水または水道水が便座２００に着水しないように、自動的に除菌水のミストまたは水道水のミストを大便器８００内に噴霧する。プレミストモードにおいてミストを噴霧する範囲は、例えば、ボウル部８０１の上端までの範囲である。より具体的には、プレミストモードにおいてミストを噴霧する範囲は、例えば、溜水８０１ｗの水面からリム部８０５の内壁面８０７の上端までの範囲である。プレミストモードにおいてミストを噴霧する範囲は、例えば、アフターミストモードの第１のミスト範囲と同じでよい。
【００７８】
このように、トイレ装置１０の使用前に、プレミストモードによって大便器８００内に除菌水のミストまたは水道水のミストを噴霧することで、大便器８００内に水膜を形成し、汚物の固着を抑制することができる。
【００７９】
手動ミストモードは、使用者が手動操作部５００を操作した後に、除菌水のミストを大便器８００内及び便座２００に噴霧する。手動ミストモードは、便座装置１００の使用前・使用後・掃除時などのタイミングで実行される。手動ミストモードにおいてミストを噴霧する範囲は、例えば、ボウル部８０１から便座２００の上面２０３までの範囲である。より具体的には、手動ミストモードにおいてミストを噴霧する範囲は、例えば、溜水８０１ｗの水面から便座２００の上面２０３までの範囲である。手動ミストモードにおいてミストを噴霧する範囲は、例えば、アフターミストモードの第２のミスト範囲と同じでよい。
【００８０】
このように、手動ミストモードにより、大便器８００内及び便座２００に除菌水のミストを噴霧することで、さらに菌や汚れの発生を抑制することができる。例えば、アフターミストモードによって抑制することが困難な固着汚れに対して、着水した除菌水をトイレットペーパー等を用いて拭き取ることにより、除菌することができる。使用者は、専用の除菌ペーパーを用いずに手軽に拭き取り除菌を行うことができる。また、例えば、トイレ装置１０の使用前に便座２００の汚れが気になる使用者は、手動ミストモードによって便座２００を除菌することができる。使用者自らの操作に基づいて除菌が実行されるため、使用者の安心感や満足感を高めることができる。
【００８１】
以下、図８〜図１０を参照して、アフターミストモードにおける便座装置１００の動作の例について説明する。
【００８２】
図８は、実施形態に係る便座装置のアフターミストモードにおける動作を例示するフローチャートである。  
人体検知センサ４０３が使用者の退室を検知すると（ステップＳ１０１：Ｙｅｓ）、制御装置４０５は、便蓋検知センサ４０６の検知情報に基づいて、便蓋３００の開閉状態を判定する（ステップＳ１０２）。便蓋３００が開状態のとき（ステップＳ１０２：Ｙｅｓ）、制御装置４０５は、第１モードを実行する（ステップＳ１０３）。便蓋３００が閉状態のとき（ステップＳ１０２：Ｎｏ）、制御装置４０５は、第２モードを実行する（ステップＳ１０４）。
【００８３】
図９は、実施形態に係る便座装置のアフターミストモードの第１モードにおける動作を例示するフローチャートである。  
第１モードを開始すると、制御装置４０５は、電磁弁４３１を開き、噴霧装置４８１のモータ４８１ａ及びディスク４８１ｂを反時計回り（ＣＣＷ）に中速回転させる（ステップＳ２０１）。電磁弁４３１が開くことで、ディスク４８１ｂへの給水が開始される。
【００８４】
制御装置４０５は、ディスク４８１ｂが中速回転した状態を所定時間、維持する（ステップＳ２０２：Ｎｏ）。これにより、ディスク４８１ｂ上の残水をディスク４８１ｂ上から排出することができる。このとき、例えばミストダンパ４８２は閉じているため、大便器８００内へミストは噴霧されない。
【００８５】
所定時間が経過すると（ステップＳ２０２：Ｙｅｓ）、制御装置４０５は、ノズルモータ４７６によりノズル４７３をボウル部８０１内へ進出させる。これに伴い、ミストダンパ４８２が開く（ステップＳ２０３）。
【００８６】
その後、制御装置４０５は、除菌装置４５０を制御して除菌水の生成を開始する（ステップＳ２０４）。これにより、大便器８００内（ボウル部８０１）などへの除菌水のミストの噴霧が開始する。制御装置４０５は、反時計回りに中速回転するディスク４８１ｂから除菌水のミストが噴霧される状態を所定時間、維持する（ステップＳ２０５：Ｎｏ）。
【００８７】
所定時間が経過すると（ステップＳ２０５：Ｙｅｓ）、制御装置４０５は、噴霧装置４８１のモータ４８１ａ及びディスク４８１ｂを時計回り（ＣＷ）に中速回転させる（ステップＳ２０６）。制御装置４０５は、時計回りに中速回転するディスク４８１ｂから除菌水のミストが噴霧される状態を所定時間、維持する（ステップＳ２０７：Ｎｏ）。
【００８８】
所定時間が経過すると（ステップＳ２０７：Ｙｅｓ）、制御装置４０５は、除菌装置４５０を制御して除菌水の生成を停止し、モータ４８１ａ及びディスク４８１ｂを時計回り（ＣＷ）に低速回転させる（ステップＳ２０８）。
【００８９】
制御装置４０５は、ディスク４８１ｂに水道水が供給され、ディスク４８１ｂが低速回転した状態を所定時間、維持する（ステップＳ２０９：Ｎｏ）。これにより、ディスク４８１ｂのセルフクリーニングが行われる。なお、セルフクリーニングとは、あえてミストを発生させない程度の回転数で、ディスクを物理洗浄する動作である。セルフクリーニングには、除菌水を用いても構わない。
【００９０】
所定時間が経過すると（ステップＳ２０９：Ｙｅｓ）、制御装置４０５は、電磁弁４３１を閉じる（ステップＳ２１０）。制御装置４０５は、ディスク４８１ｂへの給水が停止し、ディスク４８１ｂが低速で回転した状態を所定時間、維持する（ステップＳ２１１：Ｎｏ）。これにより、ディスク４８１ｂ上の残水を除去することができる。
【００９１】
所定時間が経過すると（ステップＳ２１１：Ｙｅｓ）、制御装置４０５は、モータ４８１ａ及びディスク４８１ｂの回転を停止し、ノズルモータ４７６によりノズル４７３をケーシング４００内へ後退させる。これに伴い、ミストダンパ４８２が閉じる（ステップＳ２１２）。以上で、アフターミストモードの第１モードが終了する。
【００９２】
上記のように、第１モードでは、ディスク４８１ｂを中速回転させ、ミストの粒径を中粒径よりも大きくする。また、ミストを噴霧する際に、送風装置５１３による送風を行わない。これらにより、第１モードでは、除菌水のミストが噴霧される範囲を、例えば、ボウル部８０１の上端までの範囲（第１のミスト範囲）にすることができる。
【００９３】
図１０は、実施形態に係る便座装置のアフターミストモードの第２モードにおける動作を例示するフローチャートである。  
第２モードを開始すると、制御装置４０５は、電磁弁４３１を開き、噴霧装置４８１のモータ４８１ａ及びディスク４８１ｂを反時計回り（ＣＣＷ）に高速回転させる（ステップＳ３０１）。電磁弁４３１が開くことで、ディスク４８１ｂへの給水が開始される。
【００９４】
制御装置４０５は、ディスク４８１ｂが高速回転した状態を所定時間、維持する（ステップＳ３０２：Ｎｏ）。これにより、ディスク４８１ｂ上の残水をディスク４８１ｂ上から排出することができる。このとき、例えばミストダンパ４８２は閉じているため、大便器８００内へミストは噴霧されない。
【００９５】
所定時間が経過すると（ステップＳ３０２：Ｙｅｓ）、制御装置４０５は、ノズルモータ４７６によりノズル４７３をボウル部８０１内へ進出させる。これに伴い、ミストダンパ４８２が開く（ステップＳ３０３）。
【００９６】
その後、制御装置４０５は、除菌装置４５０を制御して除菌水の生成を開始し、送風装置５１３を制御して大便器８００内への送風を開始する（ステップＳ３０４）。これにより、大便器８００内（ボウル部８０１）及び便座２００などへの除菌水のミストの噴霧が開始する。制御装置４０５は、反時計回りに高速回転するディスク４８１ｂから除菌水のミストが噴霧される状態を所定時間、維持する（ステップＳ３０５：Ｎｏ）。
【００９７】
所定時間が経過すると（ステップＳ３０５：Ｙｅｓ）、制御装置４０５は、噴霧装置４８１のモータ４８１ａ及びディスク４８１ｂを時計回り（ＣＷ）に高速回転させる（ステップＳ３０６）。制御装置４０５は、時計回りに高速回転するディスク４８１ｂから除菌水のミストが噴霧される状態を所定時間、維持する（ステップＳ３０７：Ｎｏ）。
【００９８】
所定時間が経過すると（ステップＳ３０７：Ｙｅｓ）、制御装置４０５は、送風装置５１３を制御して送風を停止し、除菌装置４５０を制御して除菌水の生成を停止し、モータ４８１ａ及びディスク４８１ｂを時計回り（ＣＷ）に低速回転させる（ステップＳ３０８）。
【００９９】
制御装置４０５は、ディスク４８１ｂに水道水が供給され、ディスク４８１ｂが低速回転した状態を所定時間、維持する（ステップＳ３０９：Ｎｏ）。これにより、ディスク４８１ｂのセルフクリーニングが行われる。
【０１００】
所定時間が経過すると（ステップＳ３０９：Ｙｅｓ）、制御装置４０５は、電磁弁４３１を閉じる（ステップＳ３１０）。制御装置４０５は、ディスク４８１ｂへの給水が停止し、ディスク４８１ｂが低速で回転した状態を所定時間、維持する（ステップＳ３１１：Ｎｏ）。これにより、ディスク４８１ｂ上の残水を除去することができる。
【０１０１】
所定時間が経過すると（ステップＳ３１１：Ｙｅｓ）、制御装置４０５は、モータ４８１ａ及びディスク４８１ｂの回転を停止し、ノズルモータ４７６によりノズル４７３をケーシング４００内へ後退させる。これに伴い、ミストダンパ４８２が閉じる。また、制御装置４０５は、便座ヒータ５１５をＯＮ（通電状態）にする（ステップＳ３１２）。
【０１０２】
制御装置４０５は、便座ヒータ５１５がＯＮの状態を所定時間、維持する（ステップＳ３１３：Ｎｏ）。これにより、便座２００の温度を上昇させて、便座２００に着水した除菌水を蒸発させ、便座２００を乾かすことができる。なお、便座ヒータ５１５の代わりに、送風装置５１３と温風ヒータ５１４とを駆動させ、温風により便座２００を乾燥させてもよい。
【０１０３】
所定時間が経過すると（ステップＳ３１３：Ｙｅｓ）、制御装置４０５は、便座ヒータ５１５をＯＦＦ（非通電状態）とする（ステップＳ３１４）。以上で、アフターミストモードの第２モードが終了する。
【０１０４】
上記のように、第２モードでは、ディスク４８１ｂを高速回転させ、ミストの粒径を小粒径にする。また、ミストを噴霧する際に、送風装置５１３によって送風を行う。これらにより、第２モードでは、除菌水のミストが噴霧される範囲を、例えば、ボウル部８０１から便座２００の上面までの範囲（第２のミスト範囲）にすることができる。また、第２モードでは、便座２００の上面までミストを噴霧するため、ミストの噴霧後に便座ヒータ５１５をＯＮにし、便座２００を乾かす。これにより、使用者の臀部や手が、便座に着水した除菌水に触れ、不快感を感じることを抑制できる。
【０１０５】
以下、図１１〜図１３を参照して、アフターミストモードの第２モードにおける便座装置１００の動作の例について説明する。
【０１０６】
図１１は、実施形態に係る便座装置のアフターミストモードの第２モードにおける動作を例示する模式図である。  
アフターミストモードの第２モードにおいて、制御装置４０５は、送風装置５１３を作動させる。これにより、送風装置５１３は、大便器８００内に向けて送風し、大便器８００内に第１上昇気流Ｕ１を発生させる。また、制御装置４０５は、第１上昇気流Ｕ１が発生した状態において、除菌水の第１ミストＭ１と、除菌水の第２ミストＭ２と、を同時に発生させるように噴霧装置４８１を制御する。第１ミストＭ１は、小粒径のミストである。第１ミストＭ１の粒径（除菌水の微粒子ｐ１の径）は、第１上昇気流Ｕ１によって、便座２００側に上昇可能な粒径である。第２ミストＭ２は、中粒径のミストである。第２ミストＭ２の粒径（除菌水の微粒子ｐ２の径）は、第１ミストＭ１の粒径よりも大きい。第２ミストＭ２は、第１上昇気流Ｕ１によって便座２００側に上昇しない。なお、第２ミストＭ２が、第１上昇気流Ｕ１で上昇しないという範囲は、全ての第２ミストＭ２が上昇しない場合だけではなく、僅かな第２ミストＭ２が上昇する場合を含んでもよいものとする。第１上昇気流Ｕ１によって上昇する第２ミストＭ２は、出来るだけ少ないことが好ましく、例えばゼロであることが好ましい。
【０１０７】
すなわち、便座２００よりも下方から噴霧された第１ミストＭ１は、第１上昇気流Ｕ１に乗って便座２００側に上昇し、便座２００やリム部８０５の上面８０６などに着水する。一方で、便座２００よりも下方から噴霧された第２ミストＭ２は、粒径が大きいため第１上昇気流Ｕ１によって便座２００側に上昇せず、ボウル部８０１の上部（リム部８０５の内壁面８０７など）やボウル部８０１の下部に着水する。これにより、単一の噴霧装置４８１で、ボウル部８０１だけでなくリム部８０５の上面８０６や便座２００にも除菌水のミストを着水させることができる。したがって、ボウル部８０１だけでなく、リム部８０５の上面８０６及び便座２００などの広い範囲において菌や汚れを抑制することができる。また、単一の噴霧装置４８１を用いることで、便座装置１００を小型化することができる。
【０１０８】
なお、噴霧装置４８１は、第１ミストＭ１が第２ミストＭ２よりも上方側に形成されるように除菌水を噴霧する。より具体的には、噴霧装置４８１は、第１ミストＭ１を水平面に対して斜め上方に向けて噴霧する。また、噴霧装置４８１は、第２ミストＭ２を水平面に対して平行または斜め下方に向けて噴霧する。なお、第１ミストＭ１の方向と第２ミストＭ２の方向とが、噴霧後に、粒径に応じて上下に分かれるようにしてもよい。
【０１０９】
これにより、小粒径の第１ミストＭ１が第１上昇気流Ｕ１によって上昇する際に、第２ミストＭ２と接触することを抑制することができる。したがって、第１ミストＭ１の粒径が第２ミストＭ２との接触によって大きくなり、第１ミストＭ１が大便器８００内に落下することを抑制することができる。
【０１１０】
また、噴霧装置４８１は、第１ミストＭ１及び第２ミストＭ２のそれぞれを、上面視において、放射状に噴霧する。放射状とは、ミストが存在する範囲が、噴霧装置４８１から離れるに従い、広くなる状態である。例えば、上面視において、ディスク４８１ｂの中心から離れる全ての方向に向けて、ミストが噴霧される。
【０１１１】
第１ミストＭ１が放射状であることにより、第１ミストＭ１を第１上昇気流Ｕ１の全体に乗せて、便座２００やリム部８０５の上面８０６などの広い範囲に着水させることができる。また、第２ミストＭ２が放射状であることにより、第２ミストＭ２が気流に乗らないほど大きな粒径を有していても、ボウル部８０１の広範囲に、第２ミストＭ２を着水させることができる。
【０１１２】
なお、ミスト（第１ミストＭ１及び第２ミストＭ２）の形成位置や広がり方は、ディスク４８１ｂの回転速度、配置、形状や、ディスク４８１ｂに水を供給する給水口４８１ｃの位置などにより、調整することができる。
【０１１３】
図１２（ａ）及び図１２（ｂ）は、実施形態に係る便座装置のアフターミストモードの第２モードにおける動作を例示する断面図である。  
図１２（ｂ）は、図１２（ａ）に示す領域Ｒ４の拡大図である。  
破線の矢印は、送風装置５１３によって形成される気流を表す。図１２（ａ）に示すように、アフターミストモードの第２モードにおいて、送風装置５１３は、前方かつ下方へ向けて送風する。送風装置５１３から送られた空気の少なくとも一部は、大便器８００内（ボウル部８０１）に当たり、上方へ向かう。これにより、便座２００よりも下方の大便器８００内から、便座２００の上方に巻き上がる上昇気流Ｕ１が形成される。
【０１１４】
実線の矢印は、噴霧装置４８１から噴霧されるミストの流れを表す。実線の矢印の太さは、除菌水の量に対応する。矢印が太いほど除菌水が多いことを表す。アフターミストモードの第２モードにおいて、一部のミストは、噴霧装置４８１からリム部の内壁面８０７（ボウル部８０１の上部）へ向けて放射される。また、粒径が比較的大きいミストは、ボウル部８０１の下部に着水する。粒径が比較的小さいミストは、上昇気流によってリム部の上面８０６、便座２００及び便蓋３００などに着水する。これにより、リム部８０５、便座２００及び便蓋３００などを含むトイレ装置１０の隅々までを除菌することができる。
【０１１５】
また、実施形態においては、ノズル４７３の幅方向（短手方向）において、噴霧装置４８１と送風装置５１３との間にノズル４７３が配置されている（図４参照）。すなわち、噴霧装置４８１は、左右方向において、送風装置５１３から離れた位置に配置されている。これにより、小粒径の第１ミストＭ１が、第１上昇気流Ｕ１に乗る前に、送風装置５１３から大便器８００内に向けて送風された気流（第１上昇気流Ｕ１を発生させる前の気流）にのって大便器８００内に着水することを抑制することができる。
【０１１６】
図１３（ａ）〜図１３（ｄ）は、実施形態に係る便座装置のアフターミストモードの第２モードにおける動作を例示する平面図である。  
図１３（ａ）及び図１３（ｃ）においては、説明の便宜上、便座２００及び便蓋３００を省略している。破線の矢印は、送風装置５１３の送風方向を表す。実線の矢印は、噴霧装置４８１から噴霧されるミストの流れを表す。実線の矢印の太さは、除菌水の量に対応する。矢印が太いほど除菌水が多いことを表す。図１３（ｂ）及び図１３（ｄ）は、便座２００を表す。
【０１１７】
図１３（ａ）及び図１３（ｂ）は、噴霧装置４８１のディスク４８１ｂが、上面視において反時計回りをしているときの様子を示す。この場合には、トイレ装置１０の右側に比べて、左側に多くの除菌水が着水する。例えば、図１３（ａ）に示すように、リム部上面においては、右側領域ＲＲ１よりも左側領域ＲＬ１に多くの除菌水が着水する。例えば、図１３（ｂ）に示すように、便座２００においては、右側領域ＲＲ２よりも左側領域ＲＬ２に多くの除菌水が着水する。
【０１１８】
図１３（ｃ）及び図１３（ｄ）は、噴霧装置４８１のディスク４８１ｂが、上面視において時計回りをしているときの様子を示す。この場合には、トイレ装置１０の左側に比べて、右側に多くの除菌水が着水する。例えば、図１３（ｃ）に示すように、リム部上面においては、左側領域ＲＬ１よりも右側領域ＲＲ１に多くの除菌水が着水する。例えば、図１３（ｄ）に示すように、便座２００においては、左側領域ＲＬ２よりも右側領域ＲＲ２に多くの除菌水が着水する。
【０１１９】
制御装置４０５は、噴霧装置４８１のモータ４８１ａを制御して、アフターミストモードの第２モード中に、時計回りと反時計回りとを適宜切り替えることが好ましい。これにより、左右方向におけるミストの分布が均一になりやすい。
【０１２０】
なお、手動ミストモードにおいては、例えば、上記のアフターミストモードの第２モードと同様にして噴霧装置４８１や送風装置５１３を制御することで、アフターミストモードの第２のミスト範囲と同じ範囲にミストを噴霧することができる。
【０１２１】
以下、図１４〜図１６を参照して、アフターミストモードの第１モードにおける便座装置１００の動作の例について説明する。
【０１２２】
図１４は、実施形態に係る便座装置のアフターミストモードの第１モードにおける動作を例示する模式図である。  
アフターミストモードの第１モードにおいて、制御装置４０５は、噴霧装置４８１を作動させ、除菌水のミストＭ３を発生させる。また、制御装置４０５は、噴霧装置４８１にミストＭ３を噴霧させた状態において、第１上昇気流Ｕ１を発生させず、ミストＭ３を便座２００側に上昇させないように送風装置５１３を制御する。なお、第１上昇気流Ｕ１は、前述したように、送風装置５１３により作られる気流であり、アフターミストモードの第２モードにおいて除菌水のミストを便座２００側に上昇させることが可能な気流である。
【０１２３】
アフターミストモードの第１モードにおいては、便座２００よりも下方から噴霧されたミストは、便座２００側に上昇せずに、ボウル部８０１の上部（リム部８０５の内壁面８０７など）やボウル部８０１の下部に着水する。また、ミストが便座２００側に上昇しないことで、アフターミストモードの第１モードにおいて大便器８００の上面よりも上方までミストが広がることを抑制できる。  
一方、アフターミストモードの第２モードにおいては、制御装置４０５は、送風装置５１３を作動させ、第１上昇気流Ｕ１によって除菌水のミストを便座２００側に上昇させる。
【０１２４】
すなわち、制御装置４０５は、便座２００よりも下方から噴霧されたミストを上昇気流に乗せて便座２００に着水させる場合と、ミストを上昇気流に乗せない場合と、を切り替えることができる。これにより、単一の噴霧装置４８１で、アフターミストモードの第２モードにおいては除菌水のミストをボウル部８０１及び便座２００などに着水させ、アフターミストモードの第１モードにおいては大便器８００の上面よりも上方までミストが広がらないようにミストをボウル部８０１に着水させることができる。
【０１２５】
なお、アフターミストモードの第１モードにおいて「除菌水のミストを便座側に上昇させない」という範囲は、全てのミストが上昇しない場合だけでなく、僅かなミストが上昇する場合を含んでもよいものとする。例えば、アフターミストモードの第１モードにおいて便座側に上昇するミストの量は、アフターミストモードの第２モードにおいて便座側に上昇するミストの量よりも少ない。
【０１２６】
例えば、アフターミストモードの第１モードにおいて、制御装置４０５は、送風装置５１３の作動を停止させ、送風を行わない。これにより、ミストが便座２００側に上昇することをより確実に防止することができる。
【０１２７】
また、アフターミストモードの第１モードにおいて、制御装置４０５は、送風装置５１３を作動させて第２上昇気流Ｕ２を発生させてもよい。第２上昇気流Ｕ２の流速は、第１上昇気流Ｕ１の流速よりも低く、ミストＭ３は、第２上昇気流Ｕ２によって便座２００側に上昇しない。第２上昇気流Ｕ２によって、ミストを便座２００側に上昇させずに、水平方向又は下方に拡散させることができる。これにより、ボウル部８０１のより広い範囲に除菌水を着水させることができる。
【０１２８】
また、アフターミストモードの第１モードにおいても、噴霧装置４８１は、除菌水のミストを上面視において放射状に噴霧する。これにより、アフターミストモードの第１モードにおいてミストが上昇気流に乗らない場合でも、ボウル部８０１の広い範囲にミストを着水させることができる。
【０１２９】
ミストＭ３は、例えば中粒径又は大粒径のミストである。ミストＭ３の粒径（除菌水の微粒子ｐ３の径）は、例えば、アフターミストモードの第２モードにおける第１ミストＭ１の粒径、第２ミストＭ２の粒径よりも大きくてもよい。これにより、ミストＭ３が便座２００側に上昇しないようにしてもよい。
【０１３０】
図１５（ａ）〜図１５（ｃ）は、実施形態に係る便座装置のアフターミストモードの第１モードにおける動作を例示する断面図及び平面図である。  
図１５（ａ）〜図１５（ｃ）は、噴霧装置４８１のモータ４８１ａが中速回転である状態を例示している。このとき、噴霧装置４８１が噴霧するミストは、中粒径のミストである。また、図１５（ａ）〜図１５（ｃ）において、実線の矢印は、噴霧装置４８１から噴霧されるミストの流れを表す。実線の矢印の太さは、除菌水の量に対応する。矢印が太いほど除菌水が多いことを表す。なお、図１５（ｂ）及び図１５（ｃ）では、説明の便宜上、便座２００を省略している。
【０１３１】
図１５（ａ）の断面図に示すように、噴霧装置４８１は、リム部８０５の上端へ向けてミストを噴霧する。モータ４８１ａが中速回転である場合は、大便器８００の内側領域ＲＵ（ボウル部８０１の内側部分８０１Ｕ）に比べて、大便器８００の外側領域ＲＳ（ボウル部８０１内の外側部分８０１Ｓ（リム部８０５の内壁面８０７を含む））に多くの除菌水が着水する。
【０１３２】
図１５（ｂ）の平面図は、噴霧装置４８１のディスク４８１ｂが、上面視において反時計回りをしているときの様子を示す。この場合には、大便器８００内の右側に比べて、左側に多くの除菌水が着水する。
【０１３３】
図１５（ｃ）の平面図は、噴霧装置４８１のディスク４８１ｂが、上面視において時計回りをしているときの様子を示す。この場合には、大便器８００内の左側に比べて、右側に多くの除菌水が着水する。
【０１３４】
図１６（ａ）〜図１６（ｃ）は、実施形態に係る便座装置のアフターミストモードの第１モードにおける動作を例示する断面図及び平面図である。  
図１６（ａ）〜図１６（ｃ）は、噴霧装置４８１のモータ４８１ａが低速回転である状態を例示している。このとき、噴霧装置４８１が噴霧するミストは、大粒径のミストである。また、図１６（ａ）〜図１６（ｃ）において、実線の矢印は、噴霧装置４８１から噴霧されるミストの流れを表す。実線の矢印の太さは、除菌水の量に対応する。矢印が太いほど除菌水が多いことを表す。なお、図１６（ｂ）及び図１６（ｃ）では、説明の便宜上、便座２００を省略している。
【０１３５】
モータ４８１ａが低速回転である場合には、モータが中速回転である場合に比べて、ミストの粒径が大きく、遠心力も小さくなるため、ミストの飛距離が短くなる。図１６（ａ）の断面図に示すように、モータ４８１ａが低速回転である場合は、大便器８００の外側領域ＲＳに比べて、大便器８００の内側領域ＲＵに多くの除菌水が着水する。
【０１３６】
図１６（ｂ）の平面図は、噴霧装置４８１のディスク４８１ｂが、上面視において時計回りをしているときの様子を示す。この場合には、大便器８００内の左側に比べて、右側に多くの除菌水が着水する。
【０１３７】
図１６（ｃ）の平面図は、噴霧装置４８１のディスク４８１ｂが、上面視において反時計回りをしているときの様子を示す。この場合には、大便器８００内の右側に比べて、左側に多くの除菌水が着水する。
【０１３８】
制御装置４０５は、噴霧装置４８１のモータ４８１ａを制御して、アフターミストモードの第１モード中に、低速回転と中速回転とを適宜切り替える。これにより、大便器８００の隅々にまで、除菌水のミストを着水させることができる。
【０１３９】
また、制御装置４０５は、噴霧装置４８１のモータ４８１ａを制御して、アフターミストモードの第１モード中（低速回転中及び中速回転中）に、時計回りと反時計回りとを適宜切り替えることが好ましい。これにより、左右方向におけるミストの分布が均一になりやすい。
【０１４０】
なお、プレミストモードにおいては、例えば、上記のアフターミストモードの第１モードと同様にして噴霧装置４８１や送風装置５１３を制御することで、アフターミストモードの第１のミスト範囲と同じ範囲にミストを噴霧することができる。
【０１４１】
図１７（ａ）及び図１７（ｂ）は、実施形態に係る粒径の測定方法を例示する斜視図である。  
粒径の測定には、レーザ回折法が用いられる。微粒子にレーザを照射すると、その微粒子から様々な方向に向かう回折散乱光が生じる。回折散乱光の強さは、光が発せられる方向において空間パターンを有する。この空間パターンは、光強度分布パターンと呼ばれる。光強度分布パターンは、微粒子の粒径によって変化する。微粒子の粒径と光強度分布パターンとの相関を利用し、光強度分布パターンを検出することで粒径を算出することができる。
【０１４２】
図１７（ａ）及び図１７（ｂ）に示すように、粒径の測定装置６００は、発光部６０１と受光部６０２とを有する。受光部６０２は、発光部６０１が発するレーザを受光可能に設けられている。粒径の測定においては、発光部６０１が発するレーザを噴霧装置４８１から噴霧されるミストＭに照射する。受光部６０２は、レーザの照射によって生じた回折散乱光を受光する。これにより、光強度分布パターンを検出することができる。測定装置には、エアロトラックＬＤＳＡ−３５００Ａ（マイクロトラック・ベル株式会社製）を用いることができる。
【０１４３】
図１８（ａ）及び図１８（ｂ）は、実施形態の変形例に係るトイレ装置の一部を例示する平面図及び断面図である。  
図１８（ａ）は、トイレ装置の一部を前方から見た平面図である。図１８（ｂ）は、図１８（ａ）に示すＡ−Ａ線における断面図である。  
図１８（ａ）及び図１８（ｂ）に示すように、この例では、ミストダンパ４８２が設けられておらず、ケーシング４００にスリットＳが設けられている。噴霧装置４８１はケーシング４００内に配置されており、スリットＳは、噴霧装置４８１の前方下部に位置する。例えば、スリットＳの上端面Ｓ１の高さ（上下方向における位置）は、ディスク４８１ｂの底面Ｂ１の高さと同じであり、上端面Ｓ１と底面Ｂ１とは同一平面上である。または、上端面Ｓ１は、底面Ｂ１よりも低くてもよい。
【０１４４】
ディスク４８１ｂの上面は、水平から傾いており、ディスク４８１ｂは、ミストＭを水平よりも若干下方へ向けて噴霧する。ディスク４８１ｂから噴霧されたミストＭは、スリットＳを通過し、ボウル部８０１内へ向けて噴霧される。これにより、図５で示したようなミストダンパ４８２を設けないため、トイレ装置のデザイン性や清掃性を損ねることなく、尿などの汚れＹが噴霧装置４８１に付着することを防止することができる。
【０１４５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、大便器、便座装置などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１４６】
１０ トイレ装置、  １００ 便座装置、  １１０〜１１３ 流路、  ２００ 便座、  ２００ａ 開口、  ２０３ 上面、  ２０４ 下面、  ３００ 便蓋、  ４００ ケーシング、  ４０２ 検知センサ、  ４０３ 人体検知センサ、  ４０４ 着座検知センサ、  ４０５ 制御装置、  ４０６ 便蓋検知センサ、  ４３１ 電磁弁、  ４５０ 除菌装置、  ４７２ 切替弁、  ４７３ ノズル、  ４７４ 吐水口、  ４７６ ノズルモータ、  ４７８ ノズル洗浄室、  ４７９ ノズルダンパ、  ４８１ 噴霧装置、  ４８１ａ モータ、  ４８１ｂ ディスク、  ４８１ｃ 給水口、  ４８２ ミストダンパ、  ５００ 手動操作部、  ５１１ 便座用モータ、  ５１２ 便蓋用モータ、  ５１３ 送風装置、  ５１４ 温風ヒータ、  ５１５ 便座ヒータ、  ５１６ 送風ダンパ、  ５１６ａ 開口、  ６００ 測定装置、  ６０１ 発光部、  ６０２ 受光部、  ８００ 大便器、  ８０１ ボウル部、  ８０１Ｓ 外側部分、  ８０１Ｕ 内側部分、  ８０１ｗ 溜水、  ８０５ リム部、  ８０５Ｂ 屈曲部、  ８０６ 上面、  ８０７ 内壁面、  ８１１ ボウル給水口、  Ｂ１ 底面、  Ｍ、Ｍ３ ミスト、  Ｍ１ 第１ミスト、  Ｍ２ 第２ミスト、  ｐ、ｐ１〜ｐ３ 微粒子、  Ｒ１〜Ｒ４ 領域、  ＲＬ１、ＲＬ２ 左側領域、  ＲＲ１、ＲＲ２ 右側領域、  ＲＳ 外側領域、  ＲＵ 内側領域、  Ｓ スリット、  Ｓ１ 上端面、  Ｕ１ 第１上昇気流、  Ｕ２ 第２上昇気流、  Ｗ 水、  Ｙ 汚れ
【図１】
2019166201.tif 000003
【図２】
2019166201.tif 000004
【図３】
2019166201.tif 000005
【図４】
2019166201.tif 000006
【図５】
2019166201.tif 000007
【図６】
2019166201.tif 000008
【図７】
2019166201.tif 000009
【図８】
2019166201.tif 000010
【図９】
2019166201.tif 000011
【図１０】
2019166201.tif 000012
【図１１】
2019166201.tif 000013
【図１２】
2019166201.tif 000014
【図１３】
2019166201.tif 000015
【図１４】
2019166201.tif 000016
【図１５】
2019166201.tif 000017
【図１６】
2019166201.tif 000018
【図１７】
2019166201.tif 000019
【図１８】
2019166201.tif 000020